(57)【要約】【課題】各群の構成、特に第３レンズ群及び第４レンズ群のパワー配置を適切に設定する事により、50倍以上の高倍率に対応し、コンパクトで広角端から望遠端に至る全ズーム範囲にわたり、又無限遠物体から至近物体に至る全物体距離にわたり高い光学性能を有したズームレンズ及びそれを有する光学機器を得ること。【解決手段】物体側から像側へ順に正の屈折力を有する第１レンズ群、負の屈折力を有する第２レンズ群、正の屈折力を有する第３レンズ群、正の屈折力を有する第４レンズ群、正の屈折力を有する第５レンズ群を有し、変倍に際して少なくとも該第２レンズ群及び第４レンズ群を移動させるズームレンズにおいて、広角端及び望遠端の焦点距離をfw、ft、第nレンズ群の焦点距離をfnとした時、各数値を適切に設定したこと。【選択図】図１
2012113107.tif 000002
【特許請求の範囲】
【請求項１】
物体側から像側へ順に正の屈折力を有する第１レンズ群、負の屈折力を有する第２レンズ群、正の屈折力を有する第３レンズ群、正の屈折力を有する第４レンズ群、正の屈折力を有する第５レンズ群を有し、
変倍に際して少なくとも該第２レンズ群及び第４レンズ群を移動させるズームレンズにおいて、
広角端及び望遠端の焦点距離をfw、ft、第nレンズ群の焦点距離をfnとした時、下記条件式を満足する事を特徴とするズームレンズ。
8.0 ＜ f3/fw ＜ 15.5
0.4 ＜f4/√(fwft)＜ 0.9
【請求項２】
下記条件式を満足する事を特徴とする請求項１に記載のズームレンズ。
−12 ＜ f1/f2 ＜ −7.5
【請求項３】
前記第３レンズ群の最も物体面側から像面側までの光軸上の距離をＤ３とした時、下記条件式を満足する事を特徴とする請求項1又は請求項2に記載のズームレンズ。
20 ＜ ft/D3 ＜ 40
【請求項４】
下記条件式を満足する事を特徴とする請求項1乃至請求項３のいずれか１項に記載のズームレンズ。
20 ＜ f5/fw ＜ 65
【請求項５】
前記第５レンズ群は２枚以下で構成されている事を特徴とする請求項１乃至請求項４のいずれか１項に記載のズームレンズ。
【請求項６】
前記第３レンズ群の全体または一部を光軸方向に略垂直に移動させて、被写体像の像面移動を補正する事を特徴とする請求項１乃至請求項5のいずれか１項に記載のズームレンズ。
【請求項７】
請求項１乃至請求項6のいずれか１項に記載のズームレンズと該ズームレンズによって形成された像を受光する撮像素子を有する事を特徴とする光学機器。
【発明の詳細な説明】
【技術分野】
【０００１】
本発明はズームレンズ及びそれを有する光学機器に関し、特にデジタルスチルカメラ、ビデオカメラ、フィルム用カメラ等に用いられるズームレンズ及びそれを有する光学機器に好適なものである。
【背景技術】
【０００２】
近年、固体撮像素子を用いたデジタルスチルカメラ、ビデオカメラ等の高倍率化が進んでいる。一方でビデオカメラの装置全体が小型化されており、それに伴いズームレンズの小型化も要求されている。
【０００３】
また、高倍率化と共にCCDの高画素化に伴い高解像度も求められ、その点で色収差を補正する事が要求されている。
【０００４】
これらの要求に応えるズームレンズとして物体側より像側へ順に正の屈折力を有する第１レンズ群、負の屈折力を有する第２レンズ群、正の屈折力を有する第３レンズ群、正の屈折力を有する第４レンズ群、正の屈折力を有する第５レンズ群を有する５群ズームレンズが知られている。
【０００５】
上記5群構成とする事で広角端の軸上色収差を効果的に補正し、また、ズーム時の色収差変動を効果的に補正する事が出来る。
【０００６】
５群ズームレンズの例として、例えば特許文献１が提案されている。また、高倍率の５群ズームの例として、例えば特許文献２が提案されている。
【先行技術文献】
【特許文献】
【０００７】
【特許文献１】特開平１１−４４８４５号公報
【特許文献２】特開２００７−３２２８０４号公報
【発明の概要】
【発明が解決しようとする課題】
【０００８】
特許文献１ズームレンズは１６倍程度のズーム倍率であり、近年の高倍率化に対して十分とは言えなかった。
【０００９】
また、特許文献２のズームレンズは２３倍から４０倍とズーム倍率を改善している。しかし、光学的な手ぶれ補正機構に対しては考慮されておらず、さらに高倍率化した際の手ぶれ補正機構については十分とは言えなかった。
【００１０】
本発明は、各群の構成、特に第３レンズ群及び第４レンズ群のパワー配置を適切に設定する事により、50倍以上の高倍率に対応したズームレンズ及びそれを有する光学機器の提供を目的とする。また、コンパクトで広角端から望遠端に至る全ズーム範囲にわたり、又無限遠物体から至近物体に至る全物体距離にわたり高い光学性能を有したズームレンズ及びそれを有する光学機器の提供を目的とする。
【課題を解決するための手段】
【００１１】
物体側から像側へ順に正の屈折力を有する第１レンズ群、負の屈折力を有する第２レンズ群、正の屈折力を有する第３レンズ群、正の屈折力を有する第４レンズ群、正の屈折力を有する第５レンズ群を有し、
変倍に際して少なくとも該第２レンズ群及び第４レンズ群を移動させるズームレンズにおいて、
広角端及び望遠端の焦点距離をfw、ft、第nレンズ群の焦点距離をfnとした時、下記条件式を満足する事である。
【００１２】
8.0 ＜ f3/fw ＜ 15.5
0.4 ＜f4/√(fwft)＜ 0.9
【発明の効果】
【００１３】
本発明によれば、40倍以上の高倍率に対応し、コンパクトで広角端から望遠端に至る全ズーム範囲にわたり、又無限遠物体から至近物体に至る全物体距離にわたり高い光学性能を有したズームレンズ及びそれを有する光学機器が得られる。
【図面の簡単な説明】
【００１４】
【図１】実施例１のズームレンズのレンズ断面図
【図２】実施例１のズームレンズの広角端での収差図
【図３】実施例１のズームレンズの中間での収差図
【図４】実施例１のズームレンズの望遠端での収差図
【図５】実施例２のズームレンズのレンズ断面図
【図６】実施例２のズームレンズの広角端での収差図
【図７】実施例２のズームレンズの中間での収差図
【図８】実施例２のズームレンズの望遠端での収差図
【図９】実施例３のズームレンズのレンズ断面図
【図１０】実施例３のズームレンズの広角端での収差図
【図１１】実施例３のズームレンズの中間での収差図
【図１２】実施例３のズームレンズの望遠端での収差図
【図１３】実施例４のズームレンズのレンズ断面図
【図１４】実施例４のズームレンズの広角端での収差図
【図１５】実施例４のズームレンズの中間での収差図
【図１６】実施例４のズームレンズの望遠端での収差図
【図１７】実施例５のズームレンズのレンズ断面図
【図１８】実施例５のズームレンズの広角端での収差図
【図１９】実施例５のズームレンズの中間での収差図
【図２０】実施例５のズームレンズの望遠端での収差図
【発明を実施するための形態】
【００１５】
本発明のズームレンズは、40倍以上の高倍率に対応し、コンパクトなズームレンズを提供するために、
物体側から像側へ順に正の屈折力を有する第１レンズ群、負の屈折力を有する第２レンズ群、正の屈折力を有する第３レンズ群、正の屈折力を有する第４レンズ群、正の屈折力を有する第５レンズ群を有し、
変倍に際して少なくとも該第２レンズ群及び第４レンズ群を移動させるズームレンズにおいて、
広角端及び望遠端の焦点距離をfw、ft、第nレンズ群の焦点距離をfnとした時、下記条件式を満足する事を特徴としている。
8.0 ＜ f3/fw ＜ 15.5                           −（１）
0.4 ＜f4/√(fwft)＜ 0.9                        −（２）
前述したように、色収差を補正し、高解像度でありながら高倍率でコンパクトにする為には正、負、正、正、正の５群タイプが好ましく、また、第３レンズ群及び第4レンズ群のパワー配置を最適にする事が重要である。
【００１６】
条件式(1)は、第３レンズ群のパワー配分に関するものであり、広角端の収差補正に関する条件式である。条件式の下限値を下回ると、第3レンズ群のパワーが強まり、特に広角端での球面収差を補正する上で困難となる。一方、上限値を上回ると、第3レンズ群のパワーが弱まり、特に広角端での軸上色収差を補正する上で困難となる。
【００１７】
条件式(2)は、第４レンズ群のパワー配分に関するものであり、全長およびズームにおける収差変動を抑えるための条件式である。条件式の下限値を下回ると、第4レンズ群のパワーが弱まることでフォーカス時の移動量が大きくなり、収差変動が大きくなる為、好ましくない。一方、上限値を上回ると、第4レンズ群のパワーが強まり、広角端での球面収差、望遠端でのコマ収差を補正する上で困難となる。
【００１８】
上記条件式で本発明の目的は達成されるが、より好ましくは該構成において、
−12 ＜ f1/f2 ＜ −7.5                           −（３）
なる条件式を満足する事である。
【００１９】
条件式(3)は、第１レンズ群と第２レンズ群のパワー配分に関するものであり、特に望遠端の収差補正、大きさに関する条件式である。条件式の下限値を下回ると、第2レンズ群のパワーが強まり、ズーム時の像面湾曲変動が大きくなるため好ましくない。また、第1レンズ群が弱まる為、望遠端の球面収差を補正する上で困難となる。一方、上限値を上回ると、第2レンズ群のパワーが弱まり、ズーム時の第2レンズ群の移動量を増えるため、レンズ全長及び前玉径の大型化を招くため好ましくない。
【００２０】
上記同様に、より好ましくは該構成において、第3レンズ群の最も物体面側から像面側までの光軸上の距離をＤ３とした時、
20 ＜ ft/D3 ＜ 40                       −（４）
なる条件式を満足する事である。
【００２１】
条件式(4)は、第３レンズ群に関するものであり、全長、広角端の色収差補正に関する条件式である。条件式の下限値を下回ると、第3レンズ群の光軸上の厚みが厚くなる為、レンズ全長の大型化を招く。一方、上限値を上回ると、第3レンズ群の光軸上の厚みが薄くなり小型化には有利だが、広角端での軸上色収差を補正する上で困難となる。
【００２２】
上記同様に、より好ましくは該構成において、
20 ＜ f5/fw ＜ 65                       −（５）
なる条件式を満足する事である。
【００２３】
条件式(5)は、第5レンズ群のパワー配分に関するものであり、球面収差やコマ収差を補正するための条件式である。条件式の下限値を下回ると、第5レンズ群のパワーが強まり、広角端の球面収差、望遠端のコマ収差を補正する上で困難となる。一方、上限値を上回ると、第5レンズ群のパワーが弱まり、倍率色収差の補正をする上で困難となる。
【００２４】
尚、各数値実施例において、収差補正上更に好ましくは、条件式（1）〜（5）の数値範囲を次の如く設定するのが良い。
8.5 ＜ f3/fw ＜ 15.0                                  −（1a）
0.45 ＜f4/√(fwft)＜ 0.85                             −（2a）
−11.5 ＜ f1/f2 ＜ −8.0                              −（3a）
21 ＜ ft/D3 ＜ 38                                     −（4a）
23 ＜ f5/fw ＜ 63                                     −（5a）
より更に好ましくは、条件式（1）〜（5）の数値範囲を次の如く設定するのが良い。
9.0 ＜ f3/fw ＜ 14.5                                  −（1b）
0.5 ＜f4/√(fwft)＜ 0.8                               −（2b）
−11.0 ＜ f1/f2 ＜ −8.5                              −（3b）
22 ＜ ft/D3 ＜ 36                                     −（4b）
25 ＜ f5/fw ＜ 61                                     −（5b）
各数値実施例では以上のように各レンズ群を構成することによって、レンズ系全体を小型化し、簡易なレンズ構成にもかかわらず、全変倍範囲、又、物体距離全般にわたり高い光学性能を得ている。
【００２５】
以下に、本発明のズームレンズの実施形態（数値実施例）について図面を参照して説明する。
【００２６】
以下の説明、図において、riは物体側からi番目の面の曲率半径、diは物体側からi番目の面とi+1番目の面との間の面間隔、niは第i番目のレンズのd線における屈折率、niは第i番目のレンズのd線におけるアッベ数を示すものとする。また、ｋを円錐定数、A’，Ｂ，Ｂ’，Ｃ，Ｃ’，Ｄ，Ｄ’，Ｅ，Ｅ’，Ｆを3次、４次、5次、６次、７次、８次、９次、１０次、1１次、１２次の非球面係数とし、光軸からの高さｈの位置での光軸方向の変位を面頂点を基準にしてｘとするとき、非球面形状は、
ｘ＝(ｈ2／Ｒ)／[１＋[１−(１＋Ｋ)(ｈ／Ｒ)2]1/2] ＋A’ｈ3＋Ｂｈ4＋Ｂ’ｈ5＋Ｃｈ6＋Ｃ’ｈ7＋Ｄｈ8＋D’ｈ9＋Ｅｈ10＋Ｅ’ｈ11＋Ｆｈ12
で表示される。但し、Ｒは曲率半径であり、「ｅ−Ｘ」は「×１０-X」を意味している。尚、非球面は各表中の面番号の右側に*印を付している。
【００２７】
図１は、本発明の数値実施例１のズームレンズのレンズ断面図である。
【００２８】
図２、３、４は、本発明の数値実施例１のズームレンズの広角端、中間、望遠端のズーム位置における収差図である。
【００２９】
図５は、本発明の数値実施例２のズームレンズのレンズ断面図である。
【００３０】
図６、７、８は、本発明の数値実施例２のズームレンズの広角端、中間、望遠端のズーム位置における収差図である。
【００３１】
図９は、本発明の数値実施例３のズームレンズのレンズ断面図である。
【００３２】
図１０、１１、１２は、本発明の数値実施例３のズームレンズの広角端、中間、望遠端のズーム位置における収差図である。
【００３３】
図１３は、本発明の数値実施例４のズームレンズのレンズ断面図である。
【００３４】
図１４、１５、１６は、本発明の数値実施例４のズームレンズの広角端、中間、望遠端のズーム位置における収差図である。
【００３５】
図１７は、本発明の数値実施例５のズームレンズのレンズ断面図である。
【００３６】
図１８、１９、２０は、本発明の数値実施例５のズームレンズの広角端、中間、望遠端のズーム位置における収差図である。
【００３７】
各数値実施例のズームレンズは撮像装置に用いられる撮影レンズ系であり、レンズ断面図において、左方が被写体側で、右方が像側である。レンズ断面図において、Ｌ１は正の屈折力を有する第１レンズ群、Ｌ２は負の屈折力を有する第２レンズ群、Ｌ３は正の屈折力を有する第３レンズ群、Ｌ４は正の屈折力を有する第4レンズ群、Ｌ５は正の屈折力を有する第5レンズ群である。ＳＰは開口絞りであり、第３レンズ群Ｌ３の物体側に位置しており、ズーミングに際して固定である。
【００３８】
ＧBは光学フィルター、フェースプレート等に相当する光学ブロックである。ＩＰは像面であり、デジタルスチルカメラやビデオカメラの撮影光学系として使用する際にはＣＣＤセンサやＣＭＯＳセンサ等の固体撮像素子の撮像面が、銀塩フィルム用カメラのときはフィルム面に相当する。
【００３９】
収差図において、ｄ，ｇは各々ｄ線及びｇ線、ΔＭ，ΔＳはメリディオナル像面、サジタル像面、倍率色収差はｇ線によって表している。また、ｆｎｏはＦナンバーである。ωは半画角である。
【００４０】
尚、以下の各数値実施例において広角端と望遠端は変倍レンズ群が機構上光軸上移動可能な範囲の両端に位置したときのズーム位置をいう。
【００４１】
各数値実施例では、広角端から望遠端へのズーミングに際して矢印のように、第２レンズ群Ｌ２を像側に移動することによって変倍を行う。また、第４レンズ群L４を物体側に凸状の軌跡で移動させることで変倍に伴う像面変動を補正している。
【００４２】
また、第４レンズ群Ｌ４を光軸上移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。このように第４レンズ群Ｌ４を物体側へ凸状の軌跡とすることで第３レンズ群Ｌ３と第４レンズ群Ｌ４との間の空間の有効利用を図り、レンズ全長の短縮化を効果的に達成している。
【００４３】
又、望遠端において無限遠物体から近距離物体へフォーカスを行う場合には、矢印４ｃに示すように第４レンズ群Ｌ４を前方に繰り出すことで行っている。尚、第１レンズ群Ｌ１はフォーカスの為には光軸方向に固定であるが、収差補正上必要に応じて移動させてもよい。
【００４４】
各数値実施例では、第３レンズ群全体を光軸に対して略垂直方向に動かす事で、レンズに振動が伝わった際の像のブレを補正しているが、群全体だけでなく群の一部でも補正をする事は可能である。
【００４５】
以下に数値実施例1〜5のズームレンズの各数値を示す。
【００４６】
数値実施例１
面データ
面番号       r        d      nd         vd       有効径
1         26.265    0.55   1.80518    25.4       15.82
2         14.026    2.70   1.48749    70.2       14.87
3       -398.290    0.11                         14.61
4         15.044    1.21   1.48749    70.2       13.14
5         27.216    0.11                         12.77
6         13.621    1.45   1.62299    58.2       12.24
7         37.940  (可変)                         11.93
8         12.028    0.32   1.88300    40.8        3.89
9          1.948    0.92                          2.89
10         -8.533    0.30   1.80400    46.6        2.84
11          3.757    0.39                          2.73
12          3.997    0.68   1.92286    18.9        3.00
13         18.879  (可変)                          2.94
14(絞り)    ∞       0.58                          3.69
15*         3.460    1.44   1.58313    59.4        3.94
16        -32.998    0.08                          3.68
17          4.561    0.32   1.80518    25.4        3.42
18          2.679  (可変)                          3.10
19          4.839    1.52   1.51742    52.4        2.52
20         -2.345    0.32   1.84666    23.9        2.42
21         -3.940  (可変)                          2.47
22         -8.161    0.26   1.63854    55.4        1.89
23         -6.336  (可変)                          1.89
24          ∞       0.63   1.51400    60.0       10.51
25          ∞       0.23   1.55000    70.0       10.51
26          ∞       0.32                         10.51
27          ∞       0.26   1.50000    60.0       10.51
28          ∞       0.37                         10.51
29          ∞     (可変)                         10.51
像面        ∞   
非球面データ
第15面
K =-1.95814e+000  A 4= 3.57218e-003  A 6=-1.41887e-004  A 8= 1.77920e-005  A10=-1.43908e-006  
各種データ
ズーム比     59.90 
焦点距離       1.00    13.52    59.90
Fナンバー      1.85     2.68     4.54
画角           30.7     2.51     0.57
像高           0.59     0.59     0.59
レンズ全長    37.50    37.50    37.50
BF             1.74     1.74     1.74
d 7            0.34    12.25    14.19
d13           14.47     2.56     0.62
d18            6.02     3.20     7.00
d21            1.66     4.48     0.68
d23            0.31     0.31     0.31
d29           -0.00    -0.00    -0.00
入射瞳位置     8.07   112.94   306.14
射出瞳位置    10.68    90.28     9.04
前側主点位置   9.16   128.48   762.75
後側主点位置  -1.00   -13.52   -59.90
ズームレンズ群データ
群  始面    焦点距離  レンズ構成長  前側主点位置  後側主点位置
1    1      18.99         6.13         1.77         -2.31
2    8      -2.02         2.62         0.28         -1.77
3   14      10.23         2.42        -0.95         -2.31
4   19       5.74         1.84         0.67         -0.60
5   22      42.00         0.26         0.68          0.53
6   24       ∞           1.81         0.71         -0.71
単レンズデータ
レンズ  始面  焦点距離
1       1    -38.15
2       2     27.85
3       4     66.81
4       6     33.34
5       8     -2.67
6      10     -3.21
7      12      5.38
8      15      5.45
9      17     -8.72
10      19      3.29
11      20     -7.52
12      22     42.00
13      24      0.00
14      25      0.00
15      27      0.00
数値実施例2
面データ
面番号       r        d      nd         vd       有効径
1         26.229    0.55   1.80518    25.4       15.59
2         14.167    2.61   1.48749    70.2       14.68
3       -444.909    0.11                         14.42
4         15.140    1.24   1.48749    70.2       13.54
5         27.027    0.11                         13.34
6         14.045    1.55   1.62299    58.2       13.03
7         38.896  (可変)                         12.74
8         12.521    0.32   1.88300    40.8        3.87
9          1.995    0.91                          2.91
10         -8.730    0.30   1.80400    46.6        2.82
11          3.685    0.39                          2.75
12          3.985    0.68   1.92286    18.9        2.98
13         17.664  (可変)                          2.93
14(絞り)    ∞       0.58                          3.76
15*         3.454    1.45   1.58313    59.4        3.99
16        515.684    0.08                          3.72
17          4.213    0.32   1.80518    25.4        3.48
18          2.606  (可変)                          3.16
19          5.280    1.52   1.51742    52.4        2.65
20         -2.459    0.32   1.84666    23.9        2.48
21         -4.026  (可変)                          2.55
22         -7.739    0.26   1.63854    55.4        1.81
23         -6.482  (可変)                          1.78
24          ∞       0.63   1.51400    60.0       10.51
25          ∞       0.23   1.55000    70.0       10.51
26          ∞       0.32                         10.51
27          ∞       0.26   1.50000    60.0       10.51
28          ∞       0.37                         10.51
29          ∞     (可変)                         10.51
像面        ∞   
非球面データ
第15面
K =-2.07358e+000  A 4= 4.29453e-003  A 6=-9.27392e-005  A 8= 4.16902e-006  A10= 2.83469e-007  
各種データ
ズーム比     69.37 
焦点距離       1.00    15.31    69.37
Fナンバー      1.85     2.94     4.92 
画角           30.7     2.22     0.49 
像高           0.59     0.59     0.59 
レンズ全長    38.24    38.24    38.24 
BF             1.74     1.74     1.74 
d 7            0.34    12.54    14.53 
d13           14.91     2.71     0.73 
d18            5.68     2.58     7.28 
d21            2.28     5.38     0.68 
d23            0.31     0.31     0.31
d29           -0.00    -0.00    -0.00 
入射瞳位置     8.15   119.03   342.50 
射出瞳位置    14.71   -59.79    10.38 
前側主点位置   9.21   130.42   875.40 
後側主点位置  -1.00   -15.31   -69.37 
ズームレンズ群データ
群  始面    焦点距離  レンズ構成長  前側主点位置  後側主点位置
1    1      19.39         6.16         1.67         -2.42
2    8      -2.02         2.61         0.30         -1.74
3   14      11.44         2.42        -1.27         -2.57
4   19       5.96         1.84         0.70         -0.56
5   22      57.80         0.26         0.91          0.76
6   24       ∞           1.81         0.71         -0.71
単レンズデータ
レンズ  始面  焦点距離
1       1    -39.06
2       2     28.22
3       4     68.29
4       6     34.46
5       8     -2.73
6      10     -3.19
7      12      5.45
8      15      5.96
9      17     -9.30
10      19      3.48
11      20     -8.22
12      22     57.80
13      24      0.00
14      25      0.00
15      27      0.00
数値実施例3
面データ
面番号       r        d      nd         vd       有効径
1         26.743    0.55   1.80518    25.4       15.95
2         14.459    2.83   1.48749    70.2       15.51
3       -403.684    0.10                         15.47
4         15.314    1.42   1.48749    70.2       15.19
5         26.959    0.10                         14.98
6         14.276    1.82   1.62299    58.2       14.59
7         39.357  (可変)                         14.27
8         13.160    0.31   1.88300    40.8        3.93
9          1.981    0.92                          2.94
10         -9.301    0.30   1.80400    46.6        2.85
11          3.558    0.39                          2.76
12          3.883    0.68   1.92286    18.9        3.01
13         17.372  (可変)                          2.95
14(絞り)    ∞       0.58                          3.71
15*         3.603    1.44   1.58313    59.4        3.94
16         28.476    0.08                          3.65
17          4.401    0.31   1.80518    25.4        3.49
18          2.813  (可変)                          3.22
19          5.621    1.52   1.51742    52.4        3.05
20         -2.495    0.31   1.84666    23.9        2.87
21         -4.015  (可変)                          2.91
22         -7.136    0.26   1.65844    50.9        1.76
23         -6.096  (可変)                          1.74
24          ∞       0.63   1.51400    60.0       10.49
25          ∞       0.23   1.55000    70.0       10.49
26          ∞       0.31                         10.49
27          ∞       0.26   1.50000    60.0       10.49
28          ∞       0.37                         10.49
29          ∞     (可変)                         10.49
像面        ∞   
非球面データ
第15面
K =-2.39261e+000  A 4= 4.38532e-003  A 6= 6.87776e-005  A 8=-4.08336e-005  A10= 4.67377e-006  
各種データ
ズーム比     79.74 
焦点距離       1.00    18.22    79.74 
Fナンバー      1.85     3.03     5.00 
画角           30.7     1.86     0.426 
像高           0.59     0.59     0.59 
レンズ全長    39.28    39.28    39.28 
BF             1.73     1.73     1.73 
d 7            0.34    12.61    14.61 
d13           14.89     2.62     0.62 
d18            5.27     1.70     7.68 
d21            3.09     6.66     0.68 
d23            0.31     0.31     0.31 
d29           -0.00    -0.00    -0.00 
入射瞳位置     8.77   126.23   375.48 
射出瞳位置    18.34   -28.54    10.17 
前側主点位置   9.83   132.82   1080.59 
後側主点位置  -1.00   -18.22   -79.74 
ズームレンズ群データ
群  始面    焦点距離  レンズ構成長  前側主点位置  後側主点位置
1    1      19.73         6.83         1.76         -2.75
2    8      -2.01         2.61         0.29         -1.76
3   14      13.82         2.41        -1.67         -2.91
4   19       6.07         1.84         0.73         -0.53
5   22      57.70         0.26         0.99          0.84
6   24       ∞           1.80         0.71         -0.71
単レンズデータ
レンズ  始面  焦点距離
1       1    -39.89
2       2     28.70
3       4     69.93
4       6     34.99
5       8     -2.68
6      10     -3.17
7      12      5.29
8      15      6.93
9      17    -10.62
10      19      3.57
11      20     -8.61
12      22     57.70
13      24      0.00
14      25      0.00
15      27      0.00
数値実施例4
面データ
面番号       r        d      nd         vd       有効径
1         26.143    0.55   1.80518    25.4       16.24
2         14.939    2.71   1.48749    70.2       15.35
3       -337.665    0.11                         15.08
4         16.106    1.24   1.48749    70.2       13.60
5         25.105    0.11                         13.07
6         14.630    1.53   1.58913    61.1       12.40
7         40.443  (可変)                         12.02
8         13.759    0.32   1.88300    40.8        4.04
9          2.235    0.93                          3.11
10         -9.406    0.30   1.80400    46.6        2.99
11          3.633    0.40                          2.88
12          4.045    0.69   1.92286    18.9        3.09
13         13.334  (可変)                          3.02
14(絞り)    ∞       0.58                          3.99
15*         3.729    1.45   1.58313    59.4        4.23
16        547.219    0.08                          3.97
17          4.771    0.32   1.76182    26.5        3.74
18          2.972  (可変)                          3.43
19          6.549    1.53   1.51742    52.4        2.79
20         -2.336    0.32   1.84666    23.9        2.56
21         -3.781  (可変)                          2.58
22         -2.697    0.26   1.65844    50.9        1.75
23         -2.618  (可変)                          1.78
24          ∞       0.63   1.51400    60.0       10.56
25          ∞       0.23   1.55000    70.0       10.56
26          ∞       0.32                         10.56
27          ∞       0.26   1.50000    60.0       10.56
28          ∞       0.37                         10.56
29          ∞     (可変)                         10.56
像面        ∞   
非球面データ
第15面
K =-2.62250e+000  A 4= 4.34518e-003  A 6=-4.67687e-005  A 8=-2.72810e-005  A10= 3.35281e-006  
各種データ
ズーム比     80.27 
焦点距離       1.00    17.34    80.27 
Fナンバー      1.85     3.22     5.99 
画角           30.8     1.97     0.426 
像高           0.59     0.59     0.59 
レンズ全長    39.89    39.89    39.89 
BF             1.75     1.75     1.75 
d 7            0.34    13.83    16.02 
d13           16.35     2.87     0.68 
d18            5.50     1.90     7.26 
d21            2.52     6.12     0.76 
d23            0.32     0.32     0.32 
d29           -0.00    -0.00    -0.00 
入射瞳位置     8.40   131.72   390.14 
射出瞳位置    19.89   -32.90    12.72 
前側主点位置   9.45   139.92   977.14 
後側主点位置  -1.00   -17.34   -80.27 
ズームレンズ群データ
群  始面    焦点距離  レンズ構成長  前側主点位置  後側主点位置
1    1      21.18         6.25         1.57         -2.59
2    8      -2.06         2.63         0.38         -1.63
3   14      11.46         2.43        -0.98         -2.38
4   19       6.35         1.85         0.81         -0.45
5   22      58.09         0.26         2.33          2.26
6   24       ∞           1.82         0.72         -0.72
単レンズデータ
レンズ  始面  焦点距離
1       1    -44.27
2       2     29.42
3       4     88.17
4       6     38.07
5       8     -3.06
6      10     -3.23
7      12      6.08
8      15      6.43
9      17    -11.20
10      19      3.54
11      20     -8.03
12      22     58.09
13      24      0.00
14      25      0.00
15      27      0.00
数値実施例5
面データ
面番号       r        d      nd         vd       有効径
1         25.997    0.55   1.80518    25.4       15.78
2         13.913    2.71   1.48749    70.2       14.84
3       -413.727    0.10                         14.57
4         15.096    1.21   1.48749    70.2       13.11
5         27.180    0.10                         12.74
6         13.579    1.47   1.62299    58.2       12.21
7         38.892  (可変)                         11.90
8         11.908    0.31   1.88300    40.8        3.88
9          1.984    0.97                          2.88
10         -7.392    0.30   1.80400    46.6        2.83
11          3.858    0.39                          2.73
12          4.193    0.68   1.92286    18.9        2.99
13         24.466  (可変)                          2.94
14(絞り)    ∞       0.58                          3.68
15*         3.064    1.44   1.58313    59.4        3.93
16        -46.810    0.08                          3.67
17          4.935    0.31   1.75520    27.5        3.41
18          2.462  (可変)                          3.09
19          4.572    1.52   1.53172    48.8        2.52
20         -2.296    0.31   1.80518    25.4        2.41
21         -4.119  (可変)                          2.46
22         -5.510    0.26   1.63854    55.4        1.89
23         -2.399    0.26   1.83481    42.7        1.89
24         -3.794  (可変)                          1.89
25          ∞       0.63   1.51400    60.0       10.48
26          ∞       0.23   1.55000    70.0       10.48
27          ∞       0.31                         10.48
28          ∞       0.26   1.50000    60.0       10.48
29          ∞       0.37                         10.48
30          ∞     (可変)                         10.48
像面        ∞   
非球面データ
第15面
K =-1.03779e+000  A 4= 1.36319e-003  A 6= 1.08913e-004  A 8=-2.35477e-005  A10= 2.52148e-006  
各種データ
ズーム比     59.76 
焦点距離       1.00    13.57    59.76 
Fナンバー      1.84     2.70     4.53  
画角           30.6     2.50     0.568 
像高           1.13     1.13     1.13 
レンズ全長    37.47    37.47    37.47 
BF             1.74     1.74     1.74 
d 7            0.34    12.12    14.04 
d13           14.29     2.51     0.60 
d18            5.87     3.21     6.85 
d21            1.66     4.32     0.68 
d24            0.31     0.31     0.31 
d30           -0.00    -0.00    -0.00 
入射瞳位置     8.11   112.44   305.03 
射出瞳位置     9.35    42.48     8.03 
前側主点位置   9.22   130.35   809.62 
後側主点位置  -1.00   -13.57   -59.76 
ズームレンズ群データ
群  始面    焦点距離  レンズ構成長  前側主点位置  後側主点位置
1    1      18.84         6.15         1.78         -2.30
2    8      -2.02         2.66         0.30         -1.80
3   14      10.67         2.41        -1.41         -2.64
4   19       5.45         1.83         0.62         -0.64
5   22      32.08         0.52         1.73          1.51
6   25       ∞           1.80         0.71         -0.71
単レンズデータ
レンズ  始面  焦点距離
1       1    -37.94
2       2     27.67
3       4     67.43
4       6     32.76
5       8     -2.74
6      10     -3.12
7      12      5.40
8      15      4.99
9      17     -6.88
10      19      3.11
11      20     -6.98
12      22      6.44
13      23     -8.54
14      25      0.00
15      26      0.00
16      28      0.00
以下の表１に上記各数値実施例における条件式(1)〜(5)の数値を示す。
【００４７】
【表１】
2012113107.tif 000003
【符号の説明】
【００４８】
L1 ： 第1群
L2 ： 第2群
L3 ： 第3群
L4 ： 第4群
L5 ： 第5群
SP ： 絞り
GB ： ガラスブロック
IP ： 像面
d ： d線
g ： g線
Fno ： Fナンバー
w ： 半画角
DS ： サジタル像面
DM ： メリジオナル像面
【図１】
2012113107.tif 000004
【図２】
2012113107.tif 000005
【図３】
2012113107.tif 000006
【図４】
2012113107.tif 000007
【図５】
2012113107.tif 000008
【図６】
2012113107.tif 000009
【図７】
2012113107.tif 000010
【図８】
2012113107.tif 000011
【図９】
2012113107.tif 000012
【図１０】
2012113107.tif 000013
【図１１】
2012113107.tif 000014
【図１２】
2012113107.tif 000015
【図１３】
2012113107.tif 000016
【図１４】
2012113107.tif 000017
【図１５】
2012113107.tif 000018
【図１６】
2012113107.tif 000019
【図１７】
2012113107.tif 000020
【図１８】
2012113107.tif 000021
【図１９】
2012113107.tif 000022
【図２０】
2012113107.tif 000023